(57)【要約】      （修正有）【課題】ユーザの利便性が向上する電子機器を提供する。【解決手段】電子機器システム５００において、装着装置１０は、ユーザの身体に装着される電子機器であって、ユーザが電子機器を装着した状態においてユーザが待ち状態にあるか否かを判断する制御部１１８と、検出部によって待ち状態にあることが検出された場合に、所定の情報をユーザが視認できるように表示する表示部１０４と、を備える。【選択図】図１
2020126657.tif 000002
【特許請求の範囲】
【請求項１】
ユーザの身体に装着される電子機器であって、
前記ユーザが前記電子機器を装着した状態において前記ユーザが待ち状態にあるか否かを検出する検出部と、
前記検出部によって待ち状態にあることが検出された場合に、所定の情報を前記ユーザが視認できるように表示する表示部と、を備える電子機器。
【請求項２】
位置情報を検出する位置検出部を備え、
前記検出部は、前記位置情報に基づいて、待ち状態にあるか否かを検出する請求項１記載の電子機器。
【請求項３】
前記検出部は、前記位置検出部によって検出された位置が所定時間変化しない場合に待ち状態にあることを検出する請求項２記載の電子機器。
【請求項４】
前記表示部は、位置検出部によって検出された位置の変化に応じて前記所定の情報を変更して表示する請求項１から３のいずれか一項記載の電子機器。
【請求項５】
撮像部を備え、
前記検出部は、前記撮像部によって撮影された画像情報に基づいて、待ち状態にあるか否かを検出する請求項１から４のいずれか一項記載の電子機器。
【請求項６】
前記ユーザを撮影可能な撮像部を備え、
前記表示部は、前記撮像部により撮影された前記ユーザに応じた表示を行う請求項１から５のいずれか一項記載の電子機器。
【請求項７】
前記ユーザの操作内容を外部装置に送信する通信部を備える請求項６記載の電子機器。
【請求項８】
前記撮像部は、前記ユーザが前記電子機器を装着した状態において前記ユーザが向いている方向を撮影する請求項５から７のいずれか一項記載の電子機器。
【発明の詳細な説明】
【技術分野】
【０００１】
本発明は、電子機器に関する。
【背景技術】
【０００２】
ユーザの眼前に位置する表示部によってユーザに情報を視認できるようにさせる電子機器として、ヘッドマウントディスプレイが知られている。また、ユーザの特定の動作に起因して節電状態に移行するヘッドマウントディスプレイも知られている（例えば、特許文献１参照）。
【先行技術文献】
【特許文献】
【０００３】
【特許文献１】特開２００４−２３６２４２号公報
【発明の概要】
【発明が解決しようとする課題】
【０００４】
しかしながら、従来の電子機器では、例えば行列に並ぶなどで、待ち状態にあるユーザがいる状況下において効果的な利用法が提供されていなかった。
【０００５】
本発明は上記の課題に鑑みなされたものであり、ユーザの利便性が向上する電子機器を提供することを目的とする。
【課題を解決するための手段】
【０００６】
本発明の電子機器は、ユーザの身体に装着される電子機器であって、前記ユーザが前記電子機器を装着した状態において前記ユーザが待ち状態にあるか否かを検出する検出部（１１８）と、前記検出部によって待ち状態にあることが検出された場合に、所定の情報を前記ユーザが視認できるように表示する表示部（１０４）と、を備える。
【０００７】
また、本発明の電子機器では、位置情報を検出する位置検出部（１１２）を備え、前記検出部は、前記位置情報に基づいて、待ち状態にあるか否かを検出することとしてもよい。この場合において、前記検出部は、前記位置検出部によって検出された位置が所定時間変化しない場合に待ち状態にあることを検出することとしてもよい。
【０００８】
また、本発明の電子機器では、前記表示部は、位置検出部（１１２）によって検出された位置の変化に応じて前記所定の情報を変更して表示することとしてもよい。
【０００９】
また、本発明の電子機器では、撮像部（１０２）を備え、前記検出部は、前記撮像部によって撮影された画像情報に基づいて、待ち状態にあるか否かを検出することとしてもよい。
【００１０】
また、本発明の電子機器では、前記ユーザを撮影可能な撮像部（１０２）を備え、前記表示部は、前記撮像部により撮影された前記ユーザに応じた表示を行うこととしてもよい。この場合において、前記ユーザの操作内容を外部装置に送信する通信部（１１６）を備えていてもよい。
【００１１】
また、本発明の電子機器では、前記撮像部は、前記ユーザが前記電子機器を装着した状態において前記ユーザが向いている方向を撮影することとしてもよい。
【００１２】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１３】
本発明の電子機器は、ユーザの利便性を向上することができるという効果を奏する。
【図面の簡単な説明】
【００１４】
【図１】第１の実施形態に係る電子機器システムの構成を示すブロック図である。
【図２】装着装置の斜視図である。
【図３】コンテンツＤＢのデータ構造の一例を示す図である。
【図４】第１の実施形態に係る装着装置が実行する処理の一例を示すフローチャートである。
【図５】待ち状態判定処理の一例を示すフローチャートである。
【図６】図６（ａ）及び図６（ｂ）は、表示部が表示する画像の一例を示す図である。
【図７】第２の実施形態に係る電子機器システムの構成を示すブロック図である。
【図８】第２の実施形態に係る装着装置が実行する処理の一例を示すフローチャートである。
【図９】装着装置と情報処理装置との通信の一例を示す図である。
【図１０】図１０（ａ）は、表示部により問診票が表示される前の表示領域の一例を示す図であり、図１０（ｂ）は、表示部により表示される問診票の一例を示す図である。
【図１１】第３の実施形態に係る電子機器システムの構成を示すブロック図である。
【図１２】第３の実施形態に係る第１装着装置が実行する処理の一例を示すフローチャートである。
【図１３】第３の実施形態に係る第２装着装置が実行する処理の一例を示すフローチャートである。
【図１４】第１装着装置の表示部が表示する画像の一例を示す図である。
【発明を実施するための形態】
【００１５】
《第１の実施形態》
以下、第１の実施形態に係る電子機器システム５００について、図１〜図６（ｂ）に基づいて、詳細に説明する。図１には、電子機器システム５００の構成がブロック図にて示されている。電子機器システム５００は、図１に示すように、装着装置１０と、情報処理装置２０と、を備える。装着装置１０と情報処理装置２０とは、ネットワーク３０に接続されている。
【００１６】
（装着装置１０）
装着装置１０は、ユーザが身体（顔）に装着する眼鏡型の端末である。装着装置１０は、図１に示すように、撮像部１０２、表示部１０４、操作部１０６、マイク１０８、スピーカー１１０、位置検出部１１２、記憶部１１４、通信部１１６、及び制御部１１８を備える。図２には、装着装置１０が斜視図にて示されている。図２に示すように、装着装置１０は、眼鏡型のフレーム１３０を備える。なお、図１において図示され、図２において図示されていない装着装置１０の構成は、フレーム１３０の内部や、フレーム１３０の一部に設けられているものとする。
【００１７】
撮像部１０２は、レンズ、撮像素子、画像処理部などを備え、静止画や動画を撮影するものである。撮像部１０２は、図２に示すように、フレーム１３０の端部近傍（例えばユーザの右目近傍）に設けられている。このため、ユーザが装着装置１０を装着した状態では、ユーザが向いている（見ている）方向の画像を撮影することができる。
【００１８】
表示部１０４は、フレーム１３０内部又はフレーム１３０近傍に設けられたプロジェクタと、プロジェクタからの投影像をユーザの目に導くためのプリズムと、を有する。表示部１０４は、制御部１１８の指示の下、各種情報を表示する。装着装置１０を装着したユーザは、表示部１０４が投影した情報を視認できると共に、外界像をシースルーで視認することができるようになっている。なお、図２に示す表示部１０４は一例であって、大きさやデザインは適宜変更することができる。
【００１９】
操作部１０６は、フレーム１３０に設けられたタッチパッドであり、ユーザの指の動きを検知して、ユーザからの操作を受け付け、受け付けた操作情報を制御部１１８に送信する。すなわち、本実施の形態において、操作部１０６は接触式の操作部である。
【００２０】
マイク１０８は、フレーム１３０に設けられ、ユーザが発声した音声などを収集する。マイク１０８が収集した音声は、不図示の音声認識部により音声認識され、音声認識の結果は、制御部１１８に送信される。制御部１１８は、音声認識に基づく処理（例えばコマンドの実行処理など）を実行する。なお、制御部１１８が音声認識を行ってもよい。
【００２１】
スピーカー１１０は、例えばフレーム１３０に設けられ、制御部１１８の指示の下、音声を出力する。スピーカー１１０は、例えば表示部１０４が表示する動画に関連付けられている音声などを出力する。スピーカー１１０としては、イヤホンやヘッドホンのほか、指向性があって、主に装着装置１０を装着したユーザの耳に向けて音声を提供することが可能なスピーカーなどを採用することができる。
【００２２】
位置検出部１１２は、例えばＧＰＳ（Global Positioning System）センサを有しており、装着装置１０の位置を検出し、位置情報（例えば緯度、経度）を制御部１１８に送信する。
【００２３】
記憶部１１４は、例えばフラッシュメモリなどの不揮発性の半導体メモリであり、撮像部１０２が撮影した画像などを記憶する。
【００２４】
通信部１１６は、他の機器と無線通信（例えば携帯電話回線や無線ＬＡＮ（Local Area Network）などを用いた通信）を行う。通信部１１６が行う通信は、例えばＢｌｕｅｔｏｏｔｈ（登録商標）、ＲＦＩＤ（Radio Frequency Identification）、ＴｒａｎｓｆｅｒＪｅｔ（登録商標）、Ｗｉ−Ｆｉ（登録商標）などである。通信部１１６は、インターネットなどのネットワーク３０に接続し、ネットワーク３０に接続された他の機器（例えば情報処理装置２０）との間で通信を行う。
【００２５】
制御部１１８は、ＣＰＵ（Central Processing Unit）、ＲＡＭ（Random Access Memory）、ＲＯＭ（Read Only Memory）などを備え、プログラムを実行することにより、装着装置１０全体を制御する。制御部１１８が実行する処理の詳細については後述する。
【００２６】
（情報処理装置２０）
情報処理装置２０は、サーバである。情報処理装置２０は、図１に示すように、通信部２０２、記憶部２０４、及び制御部２０６を備える。
【００２７】
通信部２０２は、ネットワーク３０を介して、他の機器（例えば装着装置１０）と無線通信又は有線通信を行う。
【００２８】
記憶部２０４は、例えばフラッシュメモリなどの不揮発性の半導体メモリや、ハードディスクなどである。記憶部２０４は、装着装置１０の表示部１０４が表示するコンテンツの情報を記憶する。ここで、図３に基づいて、記憶部２０４に記憶される情報（コンテンツＤＢ４０）の一例について説明する。
【００２９】
図３には、コンテンツＤＢ４０のデータ構造の一例が示されている。図３に示すように、コンテンツＤＢ４０は、位置情報、属性、コンテンツデータ、及びエア入力要否の各フィールドを有している。位置情報のフィールドには、どの位置（緯度と経度）に存在する装着装置１０に対してコンテンツを送信するかの情報が格納される。属性のフィールドには、コンテンツがどのような人向け（例えば大人向け又は子供向け）のものであるかの情報が格納される。コンテンツデータのフィールドには、コンテンツのデータファイルが格納される。コンテンツは、動画であってもよいし、静止画であってもよい。エア入力要否のフィールドには、コンテンツがエア入力を使用するものか否かの情報が格納される。なお、エア入力とは、表示部１０４により表示される画像等に対してユーザが操作部１０６に触れることなく非接触で入力することであり、本実施の形態においては撮像部１０２によりユーザの指や手を撮像し、その撮像した位置から入力操作を受け付けるものである。より具体的には、制御部２０６が表示部１０４に複数の操作（例えばオンとオフの操作）の表示を行い、オンの表示に対応する位置（空間）に指があることを撮像部１０２で認識した場合にオンの操作が入力されたと認識することである。
【００３０】
このように、コンテンツＤＢ４０には、位置情報に応じたコンテンツが格納されている。つまり、例えば、ある遊園地のアトラクションの位置を示す位置情報に対応して、当該アトラクションのプロモーションビデオや、当該アトラクションに関連したキャラクターの塗り絵用画像等が格納されている。
【００３１】
制御部２０６は、ＣＰＵなどを備え、プログラムを実行することにより、情報処理装置２０全体を制御する。
【００３２】
（連携処理）
次に、第１の実施形態に係る電子機器システム５００において実行される、装着装置１０と情報処理装置２０との連携処理について説明する。図４は、装着装置１０の制御部１１８が実行する処理の一例を示すフローチャートである。なお、図４の処理の前提として、ユーザは装着装置１０を装着していて、表示部１０４が表示するコンテンツを情報処理装置２０から受信するコンテンツ受信モードがユーザによって選択されているものとする。また、コンテンツ受信モードの選択に付随して、属性（大人又は子供）の選択がユーザによってされているものとする。このような選択は、ユーザが操作部１０６を介して、又はマイク１０８に所定の音声を入力することにより行うことができる。また、装着装置１０を利用するユーザの属性が記憶部１１４に格納されている場合には、ユーザ認証を行った段階でユーザに対応する属性が自動的に選択される。
【００３３】
図４の処理では、まず、ステップＳ１０において、制御部１１８は、装着装置１０を装着したユーザが、例えば行列に並ぶなど、待ち状態にあるか判定する処理を実行する。ステップＳ１０においては、具体的には、図５のフローチャートに沿った処理が実行される。
【００３４】
図５の処理では、まず、ステップＳ３０において、制御部１１８は、一定の時間間隔（例えば３０秒間隔）で、装着装置１０を装着したユーザの位置を示す位置情報を位置検出部１１２から取得する。なお、制御部１１８は、地上に存在するＷｉ−ｆｉ等の基地局からの電波を利用して、位置検出部１１２から取得した位置情報を補正してもよい。
【００３５】
次いで、ステップＳ３２では、制御部１１８は、ユーザの位置を示す位置情報に基づいて、装着装置１０を装着したユーザが動いているか否かを判断する。例えば、制御部１１８は、ユーザの位置が所定時間（例えば２分間）変化しない場合に、動いていないと判断する。なお、ユーザの位置が所定時間変化しないとは、位置が全く変化しない場合に限らず、所定時間で通常移動する距離に対して、位置があまり変化していない場合（移動距離が予め定められている閾値を超えない場合）を含むものである。ユーザが動いている場合、ステップＳ３２の判断は肯定され、ステップＳ３４に移行する。ステップＳ３４に移行すると、制御部１１８は、ユーザは待ち状態にないと判断する。
【００３６】
一方、ユーザが動いていない場合（ステップＳ３２／Ｎｏ）、制御部１１８は、ステップＳ３６に移行する。ステップＳ３６に移行すると、制御部１１８は、ユーザの周辺（例えばユーザの前方）を撮影した画像を撮像部１０２から取得する。
【００３７】
ステップＳ３６の後は、ステップＳ３８に移行し、制御部１１８は、ユーザの周辺の画像に基づいて、ユーザの周辺に行列があるか否かを判断する。例えば、ユーザの周辺の画像を画像認識し、ユーザの近傍において、多数の頭や顔が所定方向に列をなしていることを検出した場合には、ユーザの周辺に行列があると判断する。この場合、ユーザが行列の方向を見ていなければ、行列があるか否かを画像から判断することが難しい。したがって、ユーザの位置が変化していない間に撮影された複数の画像を用いて、ユーザの周辺に行列があるか否かを判断することとしてもよい。ユーザの周辺に行列がなければ、ステップＳ３８の判断は否定され、制御部１１８は、ステップＳ３４に移行する。ステップＳ３４においては、制御部１１８は、ユーザが待ち状態にない（単に移動していないだけ）と判断する。
【００３８】
一方、ユーザの周辺に行列がある場合、ステップＳ３８の判断が肯定され、制御部１１８は、ステップＳ４０に移行する。ステップＳ４０に移行すると、制御部１１８は、ユーザが待ち状態にあると判断する。
【００３９】
なお、図５の処理では、制御部１１８は、ユーザの位置情報とユーザの周辺の画像との両方に基づいて、ユーザが待ち状態にあるか否かを判断しているが、位置情報と画像とのいずれか一方のみに基づいて、待ち状態にあるか否かを判断してもよい。また、位置情報と画像の少なくとも一方と、他の要素（周辺の騒音（人の声）の大きさや、ユーザのイライラ度合い（例えば脈拍を検出するセンサから得られる脈拍の速さの情報））に基づいて、ユーザが待ち状態にあるか否かを判断してもよい。
【００４０】
図５のステップＳ３４又はステップＳ４０の後は、図４のステップＳ１２に移行する。
【００４１】
図４に戻り、ステップＳ１２では、制御部１１８は、待ち状態にあるか否かを判断する。ユーザが待ち状態にない場合（図５のＳ３４を経た場合）、制御部１１８は、ステップＳ１０に戻る。一方、ユーザが待ち状態にある場合（図５のＳ４０を経た場合）、制御部１１８は、ステップＳ１４に移行する。
【００４２】
ステップＳ１４に移行すると、制御部１１８は、ユーザの属性（大人又は子供）の情報と位置検出部１１２から取得したユーザの現在位置を示す位置情報とを、情報処理装置２０の制御部２０６に送信する。なお、ユーザが意図しない状態で情報処理装置２０からコンテンツを受信して表示部１０４が表示することを抑制するために、ステップＳ１４の処理の前に、制御部１１８は、情報処理装置２０からコンテンツを受信するか否かを、表示部１０４又はスピーカー１１０を介して、ユーザに問い合わせるようにしてもよい。そして、ユーザは、当該問い合わせに対して、操作部１０６又はマイク１０８を介して、コンテンツを受信するか否かを選択してもよい。
【００４３】
なお、情報処理装置２０の制御部２０６は、属性の情報と位置情報とを受信するまで待機しているので、ステップＳ１４の処理が行われた段階で、記憶部２０４に記憶されたコンテンツＤＢ４０を参照して、受信したユーザの属性及び位置情報に対応するコンテンツデータとエア入力要否の情報とを、制御部１１８に送信する。
【００４４】
制御部１１８は、ステップＳ１４の後は、ステップＳ１６に移行し、情報処理装置２０からコンテンツデータとエア入力要否に関する情報とを受信するまで待機する。なお、制御部１１８は、ステップＳ１４の処理から所定時間（タイムアウトを示す時間であり、例えば５秒）が経過するまでに、情報処理装置２０から情報を受信できない場合には、受信できない旨を表示部１０４に表示させたり、スピーカー１１０から音声出力させ、図４の処理を強制的に終了してもよい。
【００４５】
制御部１１８は、情報処理装置２０からコンテンツデータとエア入力要否に関する情報を受信した段階で、ステップＳ１８に移行する。ステップＳ１８に移行すると、制御部１１８は、ステップＳ１６で受信した情報に基づいて、エア入力を使用するか否かを判断する。エア入力を使用しない場合、ステップＳ１８の判断は否定されて、ステップＳ２０に移行する。ステップＳ２０に移行すると、制御部１１８は、受信したコンテンツデータに基づくコンテンツを、表示部１０４により表示させる。制御部１１８は、表示部１０４によりコンテンツを表示させた場合には、コンテンツ（動画）が終了するか又はユーザによってコンテンツ表示を止める指示が操作部１０６又はマイク１０８を介して入力されるまでは、ユーザの位置が移動したとしても、コンテンツを表示させ続けるようにする。図６（ａ）には、表示部１０４が表示するコンテンツの一例として、遊園地のアトラクション（メリーゴーランド）のプロモーションビデオの画像を示している。
【００４６】
一方、エア入力を使用する場合（ステップＳ１８／Ｙｅｓ）、制御部１１８は、ステップＳ２２に移行する。ステップＳ２２に移行すると、制御部１１８は、コンテンツをＡＲ（Augmented Reality）表示するための表示領域が検出できるまで待機する。表示領域の検出は、例えばノート等の白い紙を撮像部１０２によって認識することで、その紙を表示領域として検出する。ただし、コンテンツによっては、エア入力が必要であっても表示領域の検出を必要としない場合がある。この場合には、ステップＳ２２の判断を省略してもよく、表示部１０４の表示領域に対する指の位置を撮像部１０２により撮像すればいい。
【００４７】
ユーザが目の前に白い紙を用意するなどして、表示領域が制御部１１８によって検出された段階で、制御部１１８は、ステップＳ２４に移行する。ステップＳ２４に移行すると、制御部１１８は、検出した表示領域に対して、受信したコンテンツデータに基づくコンテンツを、表示部１０４によりＡＲ表示させる。制御部１１８は、表示部１０４によりコンテンツをＡＲ表示させた場合には、ユーザによってコンテンツ表示を止める指示が操作部１０６又はマイク１０８を介して入力されるまでは、ユーザの位置が移動したとしても、コンテンツを表示させ続けるようにする。図６（ｂ）には、表示部１０４が表示するコンテンツの一例として、遊園地のアトラクションのキャラクターの塗り絵の画像を示している。制御部１１８は、白い紙に対して所定の大きさとなるようにキャラクターの塗り絵を表示するものとする。また、制御部１１８は、白い紙とは別の位置に、絵の具のパレットを模した入力デバイス５０を表示部１０４により表示するものとする。
【００４８】
ステップＳ２４の後は、ステップＳ２６に移行し、制御部１１８は、撮像部１０２によって撮影された表示部１０４が表示するコンテンツに対するユーザのエア入力内容を、該コンテンツに重畳させて表示部１０４に表示させる。例えば、表示部１０４により塗り絵用画像が表示されている場合に、絵の具や色鉛筆などを用いることなく手軽に塗り絵を行うことができる。この場合、ユーザは、指やペンなどを動かすことで、入力デバイス５０において選択された色を用いた塗り絵を行うことができる。
【００４９】
ステップＳ２６の後は、ステップＳ２８に移行し、制御部１１８は、ユーザがエア入力によって入力した内容を、ネットワーク３０に接続された他の装置（情報処理装置２０等）に送信する。この場合、例えば塗り絵への入力内容（完成した塗り絵の画像）が他の装置に送信されることで、他の装置では、例えば、完成した塗り絵を印刷したりすることができる。これにより、遊園地のアトラクション等では、サービスとして、他の装置で印刷した塗り絵をユーザに提供したり、塗り絵のコンテストを開催するなどすることができる。
【００５０】
以上詳細に説明したように、本第１の実施形態によれば、装着装置１０の制御部１１８は、ユーザが装着装置１０を装着した状態で待ち状態にあるか否かを判断し（Ｓ１２）、待ち状態にある場合には、コンテンツ（所定の情報）をユーザが視認できるように表示部１０４に表示させる（Ｓ２０、Ｓ２４）。これにより、ユーザは待ち時間においてダウンロードなどの操作を行うことなくコンテンツを視認することができ、ユーザの利便性を向上させることができる。また、装着装置１０はユーザの身体（顔）に装着されるため、ユーザは両手の自由が利いて移動時の安全性が良好になるとともに、手に持って利用する装置（タブレット端末等）よりも、装着装置１０の落下可能性を低減することができる。
【００５１】
また、本第１の実施形態では、制御部１１８は、ユーザが待ち状態にあるか否かの判断に、ユーザの位置を示す位置情報を用いている（Ｓ３２）。すなわち、制御部１１８は、例えばユーザの位置が所定時間変化しない場合（移動距離が閾値以下の場合）に、ユーザが待ち状態にあると判断している。これにより、簡易な方法によって、ユーザが待ち状態にあるか否かを判断することができる。
【００５２】
また、本第１の実施形態では、制御部１１８は、ユーザが待ち状態にあるか否かの判断に、撮像部１０２によって撮影された画像情報を用いている（Ｓ３８）。例えば、制御部１１８は、ユーザの周りの画像からユーザの近傍に行列がある場合に、ユーザが待ち状態にあると判断している。このように、ユーザの周りの具体的な状況に基づいてユーザが待ち状態にあるか否かを判断することで、待ち状態にあるか否かの判断を適切に行うことができる。また、本第１の実施形態では、制御部１１８は、待ち状態にあるか否かをユーザの位置を示す位置情報とユーザの周辺の画像情報との両方に基づいて判断するので、待ち状態か否かの判断をより適切に行うことが可能である。
【００５３】
また、本第１の実施形態では、制御部１１８は、ユーザの現在位置を示す位置情報を情報処理装置２０に送信し（Ｓ１４）、該位置情報に応じたコンテンツを受信して（Ｓ１６）、表示部１０４に表示させる（Ｓ２０、Ｓ２４）。すなわち、制御部１１８は、ユーザの位置の変化に応じて表示するコンテンツを決定する。これにより、ユーザは、例えば遊園地のアトラクションに並んでいる場合に、当該アトラクションのプロモーションビデオや当該アトラクションのキャラクターの塗り絵など、その場に適したコンテンツを得ることができる。
【００５４】
また、本第１の実施形態では、制御部１１８は、撮像部１０２によって撮影された表示部１０４が表示する画像に対するユーザの入力動作（エア入力）に応じた表示を表示部１０４に表示させている（Ｓ２６）。これにより、ユーザは、他人に見られることなく、表示部１０４が表示するコンテンツへの入力内容を視認することができる。例えば、ユーザが目の近傍に装着する装着装置１０の表示部１０４に塗り絵の画像を表示する場合、他人の目を気にすることなく、塗り絵を楽しむことができる。
【００５５】
なお、上記第１の実施形態においては、装着装置１０を装着したユーザが例えば遊園地のアトラクションに並んでいる場合に、制御部１１８は、並んでいる位置に応じて（アトラクションまでの距離に応じて）、当該アトラクションに関するプロモーションビデオの内容を変えて表示部１０４により表示させるようにしてもよい。この場合、図３のコンテンツＤＢ４０において、位置情報の範囲を狭く設定するようにすればよい。
【００５６】
なお、上記第１の実施形態においては、ユーザが、遊園地のアトラクションに並ぶ際に装着装置１０を装着する場合について説明したが、これに限らず、例えば、ユーザが飲食店などの行列に並ぶ際に、装着装置１０を装着することとしてもよい。この場合、制御部１１８は、飲食店のメニュー票や該メニュー票に商品の残り数などを書き込んだ画像を情報処理装置２０から受信して、表示部１０４により表示することとしてもよい。これにより、ユーザは、行列に並んでいる間、かつ適切なタイミングで注文するものを決めることが可能となる。なお、制御部１１８は、表示部１０４に、例えば注文するものやその個数を記載する注文票を表示させてもよい。制御部１１８は、ユーザによる注文票へのエア入力を受け付け、該受け付けた内容を情報処理装置２０等へ送信することで、注文を確定するようにしてもよい。また、制御部１１８は、飲食店の会員登録のための登録票を情報処理装置２０から受信して表示部１０４に表示させてもよい。この場合、制御部１１８は、ユーザによる登録票に対するエア入力を受け付け、受け付けた内容を情報処理装置２０等に送信し、会員登録するようにしてもよい。このようにすることで、ユーザは他人に氏名や住所などを知られることなく登録票への入力ができ、プライバシーの保護が図れる。
【００５７】
なお、上記第１の実施形態において、例えば、記憶部２０４のコンテンツＤＢ４０に、同一位置に関して複数のコンテンツデータが記憶されている場合もある。このような場合には、制御部１１８は、ユーザに複数のコンテンツデータのうちの１つのコンテンツデータを選択させてもよい。例えば、制御部１１８は、複数のコンテンツデータそれぞれの内容を示す情報を情報処理装置２０から受信し、当該情報を表示部１０４又はスピーカー１１０を介してユーザに報知してもよい。ユーザは、操作部１０６又はマイク１０８を利用して、表示するコンテンツを選択してもよい。なお、コンテンツの選択等においては、ユーザの視線を検出する視線検出部を装着装置１０に設け、該視線検出部により検出したユーザの視線にあるコンテンツを選択するようにしてもよい。
【００５８】
なお、上記第１の実施形態では、ユーザの属性（図３参照）を大人と子供で分ける場合について説明したが、これに限らず、ユーザの属性を男女や年代等にで分けることとしてもよい。
【００５９】
なお、上記第１の実施形態では、制御部１１８は、情報処理装置２０から装着装置１０の位置に応じたコンテンツを受信したが、装着装置１０の位置とは無関係のコンテンツを受信するようにしてもよい。この場合、例えばユーザが情報処理装置２０の記憶部２０４に待ち状態になったときに受信するコンテンツを予め記憶させておき、当該コンテンツを受信するようにしてもよい。記憶部２０４に記憶させておくコンテンツは、例えば装着装置１０の撮像部１０２や他の撮像装置（例えばカメラなど）で撮影した画像の場合でもよいし、撮影した画像を画像処理にて塗り絵に変換した画像の場合でもよい。あるいは、ユーザが録画したテレビ番組等のコンテンツであってもよい。
【００６０】
なお、上記第１の実施形態では、車を運転する運転者や助手席の者が装着装置１０を装着し、渋滞などで待ち状態にある場合に、制御部１１８は、高速道路のパーキングエリアやサービスエリアの混雑情報や、臨時施設の設置情報などを受信して、表示部１０４に表示させてもよい。この場合、渋滞などで待ち状態にあるか否かの判断は、撮像部１０２で撮影された画像に列をなす複数台の自動車が含まれているか、ユーザの位置変化が小さいか等に基づいて判断することができる。
【００６１】
なお、上記第１の実施形態では、制御部１１８は、行列の前方に並んだ人物が装着する装着装置から、ユーザの現在位置から該人物の位置までの移動に要した時間を受信して、表示部１０４により表示させたり、スピーカー１１０から音声出力してもよい。これにより、ユーザは、行列にどの程度の時間並ぶことになるかの情報を得ることができる。
【００６２】
《第２の実施形態》
次に、第２の実施形態に係る電子機器システム６００について、図７〜図１０（ｂ）に基づいて、詳細に説明する。図７には、電子機器システム６００の構成がブロック図にて示されている。電子機器システム６００は、図７に示すように、装着装置１０と情報処理装置２０とが、互いの通信部１１６、２０２を介して、近接通信又は無線通信を行う。装着装置１０及び情報処理装置２０のその他の構成は、第１の実施形態の図１に示す装着装置１０及び情報処理装置２０と同一又は同等であるため、ここでは説明を省略する。
【００６３】
（連携処理）
以下、第２の実施形態に係る電子機器システム６００において実行される、装着装置１０と情報処理装置２０との連携処理について説明する。図８は、装着装置１０の制御部１１８が実行する処理の一例を示すフローチャートである。なお、図８の処理の前提として、情報処理装置２０は病院（例えば、診療科が少ない個人病院等）のサーバであるものとする。そして、当該病院では、来院した順に診察が行われるものとする。なお、情報処理装置２０の記憶部２０４には、患者の情報を格納したデータベース（患者ＤＢ）が記憶されており、制御部２０６は、患者名を用いて患者ＤＢを検索することで、来院した患者（装着装置１０を装着したユーザ）が初診であるか再診であるかを判定できるものとする。
【００６４】
なお、図８の処理は、図９に示すように装着装置１０を装着したユーザ（患者）が病院の入口を通過し、入口近傍に設けられた情報処理装置２０の通信部２０２と装着装置１０の通信部１１６とが近接通信又は無線通信を行った段階から開始される。
【００６５】
図８の処理では、まず、ステップＳ５０において、制御部１１８は、診察の順番待ちの要求を、情報処理装置２０の制御部２０６に送信する。この場合、制御部１１８は、ユーザの識別情報として、ユーザの氏名の情報を送信する。なお、病院の診察券の情報が装着装置１０の記憶部１１４に格納されている場合には、診察券の情報（診察券番号等）を送信してもよい。この場合、情報処理装置２０は、病院に来た患者が初診か再診かを判断するとともに、診察の順番を管理する。なお、ステップＳ５０を実行した装着装置１０のユーザは、診察の順番を待っている状態であり、制御部１１８は、ユーザが待ち状態であることを検出しているといえる。
【００６６】
次いで、ステップＳ５２では、制御部１１８は、問診票の送信要求を、情報処理装置２０の制御部２０６に送信する。この場合、情報処理装置２０の制御部２０６では、ユーザ（患者）が初診であれば問診票のデータを送信し、再診であれば問診票のデータは送信しないものとする。
【００６７】
次いで、ステップＳ５４では、制御部１１８は、情報処理装置２０から問診票のデータを受信したか否かを判断する。このステップＳ５４の判断が否定された場合、すなわち再診であり問診票の記入の必要がない場合には、図８の全処理を終了する。なお、図８の全処理を終了する前に、“問診票の記入の必要はありません。お呼びするまで少々お待ちください。”などのメッセージを表示することとしてもよい。
【００６８】
一方、ステップＳ５４の判断が肯定された場合、すなわち、初診であり、問診票の記入の必要がある場合には、制御部１１８は、ステップＳ５６に移行し、問診票をＡＲ表示するための表示領域が検出できるまで待機する。
【００６９】
図１０（ａ）のように、ユーザが白い紙を持つなどして、表示領域が検出できた段階で、制御部１１８は、ステップＳ５８に移行する。ステップＳ５８に移行すると、制御部１１８は、検出した表示領域に、表示部１０４により問診票のデータをＡＲ表示させる。図１０（ｂ）には、表示部１０４により問診票のデータがＡＲ表示された場合の、ユーザの実視界領域が示されている。
【００７０】
次いで、ステップＳ６０では、制御部１１８は、撮像部１０２によって撮影された表示部１０４が表示する問診票に対するユーザのエア入力を、問診票に重畳させて表示部１０４に表示させる。これにより、ユーザは、他人に見られることなく問診票への記入を行うことができ、プライバシーの保護が図れる。
【００７１】
ユーザによる問診票に対する入力が終了すると、ステップＳ６２に移行し、制御部１１８は、ユーザがエア入力によって入力した内容を情報処理装置２０等に送信する。これにより、問診票の内容が、情報処理装置２０において管理される（患者ＤＢに格納される）ようになっている。
【００７２】
以上詳細に説明したように、本第２の実施形態によれば、装着装置１０の制御部１１８は、ユーザが診察を待っている状態にある場合に、問診票のデータを受信し（Ｓ５４）、当該問診票のデータをユーザが視認できるように表示部１０４にＡＲ表示させている（Ｓ５８）。これにより、ユーザは、診察待ちの際に記入する問診票を窓口に受け取りに行かずに済むため、利便性が向上する。また、問診票のデータを目の近傍に表示し、問診票に対する入力を、エア入力で行うことができるため、他人に見られることなく問診票への記入を行うことができ、プライバシーの保護を図ることができる。
【００７３】
なお、上記第２の実施形態では、装着装置１０を装着したユーザが病院の入口を通過する際に、制御部１１８が情報処理装置２０から問診票のデータを受信する場合を例に示したが、これに限らず、制御部１１８は、問診票のデータ以外の情報を受信することとしてもよい。また、装着装置１０を装着したユーザが病院以外の施設で待ち状態にある場合に、制御部１１８が当該施設の情報処理装置２０から所定の情報を受信するようにしてもよい。例えば、銀行などの金融機関において窓口の対応順を示す番号札をもらったタイミングで（待ち状態になったタイミングで）、制御部１１８が、表示部１０４に記入が必要な用紙（振込用紙など）のデータを表示するようにしてもよい。
【００７４】
《第３の実施形態》
以下、第３の実施形態に係る電子機器システム７００について、図１１〜図１４に基づいて、詳細に説明する。図１１には、電子機器システム７００の構成がブロック図にて示されている。電子機器システム７００は、図１１に示すように、第１装着装置１０Ａと、第２装着装置１０Ｂと、を備える。
【００７５】
第１装着装置１０Ａと第２装着装置１０Ｂは、方位センサ１２０、１２０’を有する点以外、第１の実施形態の図１に示す装着装置１０の構成と同一又は同等であるため、ここでは説明を省略する。なお、図１１においては、説明の便宜上、第２装着装置１０Ｂの各構成の符号に「’」を付して示している。なお、第１装着装置１０Ａと第２装着装置１０Ｂとは、互いの通信部１１６、１１６’を介して無線通信を行うものとする。
【００７６】
（連携処理）
次に、第３の実施形態に係る電子機器システム７００において実行される、第１装着装置１０Ａと第２装着装置１０Ｂとの連携処理について説明する。なお、本第３の実施形態の連携処理は、第１装着装置１０Ａを装着したユーザＡ及び第２装着装置１０Ｂを装着したユーザＢがアトラクションなどの行列に並んだ状態から、ユーザＡが行列から外れてトイレなどに行った後に再度行列に戻る場合に、ユーザＡの第１装着装置１０Ａに対して行列に並び続けているユーザＢの位置を示す処理である。ユーザＡは、行列に戻る際に、第１装着装置１０Ａに対して所定の操作（行列に戻りたいという意思を入力する操作）を行うものとし、当該操作により第１装着装置１０Ａの制御部１１８は、図１２の処理を開始するものとする。
【００７７】
図１２は、第１装着装置１０Ａの制御部１１８が実行する処理の一例を示すフローチャートである。図１３は、第２装着装置１０Ｂの制御部１１８’が実行する処理の一例を示すフローチャートである。なお、図１２及び図１３の処理の前提として、第１装着装置１０Ａと第２装着装置１０Ｂは、予めペアリングされているものとする。ペアリングは、一方の装置に他方の装置の識別情報を登録するなどして行う。なお、第１装着装置１０Ａと第２装着装置１０Ｂが近距離無線通信（ＮＦＣ：Near Field Communication）可能な通信部を有する場合には、当該通信部を利用して両装置をペアリングしてもよい。
【００７８】
図１２の処理では、まず、ステップＳ７０において、第１装着装置１０Ａの制御部１１８は、ペアリング相手である第２装着装置１０Ｂの制御部１１８’に対して、第２装着装置１０Ｂの現在位置を示す位置情報の送信要求を送信する。
【００７９】
一方、第２装着装置１０Ｂの制御部１１８’は、図１３のステップＳ８０において、ペアリング相手である第１装着装置１０Ａからの位置情報の送信要求を受信するまで待機しているので、図１２のステップＳ７０の処理が行われた段階で、ステップＳ８２に移行する。なお、制御部１１８’が第１装着装置１０Ａからの位置情報の送信要求を受信したということは、第２装着装置１０Ｂを装着するユーザＢが行列に並んでいる（待ち状態である）ことを制御部１１８’が検出したということを意味する。
【００８０】
ステップＳ８２に移行すると、第２装着装置１０Ｂの制御部１１８’は、第２装着装置１０Ｂの現在位置を示す位置情報を位置検出部１１２’から取得する。次いで、ステップＳ８４では、第２装着装置１０Ｂの制御部１１８’は、位置情報を第１装着装置１０Ａの制御部１１８に送信する。なお、この際に、第２装着装置１０Ｂの制御部１１８’は、地上に設置されているＷｉ−Ｆｉ等の基地局からの電波を利用して位置検出部１１２’から取得した位置情報を補正し、補正後の位置情報を第１装着装置１０Ａの制御部１１８に送信してもよい。そして、次のステップＳ８６では、制御部１１８’は、ユーザＡがユーザＢを探している旨を表示部１０４’に表示させる。これにより、ユーザＢは、周囲を見回すことでユーザＡを捜索し始めることが可能となる。
【００８１】
図１２に戻り、第１装着装置１０Ａの制御部１１８は、ステップＳ７０の後、ステップＳ７２において、第２装着装置１０Ｂから位置情報を受信するまで待機している。したがって、制御部１１８’において図１３のステップＳ８４の処理が実行されたタイミングで、制御部１１８は、ステップＳ７４に移行する。ステップＳ７４に移行すると、第１装着装置１０Ａの制御部１１８は、受信した第２装着装置１０Ｂ（ユーザＢ）の位置情報を用いて、第２装着装置１０Ｂの位置を示す画像を表示部１０４に表示させる。
【００８２】
例えば、制御部１１８は、受信した第２装着装置１０Ｂの位置情報と、第１装着装置１０Ａの方位センサ１２０の検出値（ユーザＡが向いている方向）と、第１装着装置１０Ａの現在位置情報とを用いて、ユーザＡの視野内におけるユーザＢの位置を特定する。そして、制御部１１８は、特定した位置を示す画像を表示部１０４に表示させる。図１４は、表示部１０４が表示する画像の一例を示している。図１４に示すように、制御部１１８は、当該位置を示す画像を、例えば三角印などのマークによって表示部１０４により表示させる。これにより、第１装着装置１０Ａを装着するユーザＡは、表示部１０４により表示された画像を実視界に重畳して視認でき、第２装着装置Ｂを装着するユーザＢを探すことができる。
【００８３】
なお、ユーザＢが行列に戻る場合には、第２装着装置１０Ｂの制御部１１８’が図１２の処理を行い、第１装着装置１０Ａの制御部１１８が図１３の処理を行う。
【００８４】
以上詳細に説明したように、本第３の実施形態によれば、第１装着装置１０Ａの制御部１１８は、行列に並んで待ち状態にあるユーザＢが装着する第２装着装置１０Ｂから第２装着装置１０Ｂの現在位置を示す位置情報を受信し（Ｓ７２）、受信した位置情報に基づく位置を示す画像を表示部１０４に表示させる（Ｓ７４）。これにより、第１装着装置１０Ａを装着するユーザＡは、第２装着装置１０Ｂを装着するユーザＢを探し出すことができるようになり、利便性が向上する。
【００８５】
また、本第３の実施形態によれば、第２装着装置１０Ｂの制御部１１８’は、ユーザＢが第２装着装置１０Ｂを装着した状態においてユーザＢが待ち状態にあるかことを検出すると（Ｓ８０／ＹＥＳ）、表示部１０４’に、ユーザＡがユーザＢの位置を探している旨をユーザＢが視認できるように表示させる（Ｓ８６）。これにより、第２装着装置１０Ｂを装着するユーザＢは、行列に並びながら、第１装着装置１０Ａを装着するユーザＡを探し始めることができるので、ユーザＡ，Ｂ間で声を掛け合うなどして、ユーザＡが行列に戻りやすくなる。
【００８６】
なお、上記第３の実施形態において、第２装着装置１０Ｂの記憶部１１４’にユーザＢの顔情報や、服装、持ち物等の特徴的な情報が記憶されていて、第１装着装置１０Ａの制御部１１８は、第２装着装置１０Ｂから該情報を受信して、表示部１０４に表示させてもよい。また、制御部１１８は、撮像部１０２が撮影した第２装着装置１０Ｂの周辺の画像から該情報に適合する人物を検出して、該人物を指す目印を表示部１０４に表示させてもよい。これらにより、第１装着装置１０Ａを装着するユーザＡは、ユーザＢをより容易に探し出すことが可能となる。なお、第１装着装置１０Ａの記憶部１１４に、ユーザＢの顔情報や、服装、持ち物等の特徴的な情報を予め記憶させておいてもよい。そして、制御部１１８は、該情報を表示部１０４に表示させたり、撮像部１０２が撮影した第２装着装置１０Ｂの周辺の画像から該情報に適合する人物を検出して、該人物を指す目印を表示部１０４に表示させてもよい。
【００８７】
なお、上記第３の実施形態においては、ユーザＢが利用する第２装着装置１０Ｂが、眼鏡型の端末である場合について説明したが、これに限らず、第２装着装置１０Ｂは、スマートフォンなどの携帯端末であってもよい。
【００８８】
なお、上記第３の実施形態では、ユーザＢが行列に並んでいる場合について説明したが、これに限られるものではない。例えば、ユーザＢがコンサート会場やサッカー場などの観客席、飛行機や新幹線の座席などに着席しており、ユーザＡがトイレなどから座席に戻る場合に、上記第３の実施形態の処理が実行されることとしてもよい。
【００８９】
なお、上記第１〜第３の実施形態における処理機能は、コンピュータによって実現することができる。その場合、処理装置（ＣＰＵ）が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００９０】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００９１】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００９２】
上述した各実施形態は本発明の好適な実施の例であり、適宜組み合わせることができる。但し、これに限定されるものではなく、本発明の要旨を逸脱しない範囲内において種々変形実施可能である。
【符号の説明】
【００９３】
１０  装着装置
１０Ａ  第１装着装置
１０Ｂ  第２装着装置
２０  情報処理装置
３０  ネットワーク
４０  コンテンツＤＢ
５０  入力デバイス
１０２、１０２’  撮像部
１０４、１０４’  表示部
１０６、１０６’  操作部
１０８、１０８’  マイク
１１０、１１０’  スピーカー
１１２、１１２’  位置検出部
１１４、１１４’  記憶部
１１６、１１６’  通信部
１１８、１１８’  制御部
１２０、１２０’  方位センサ
２０２  通信部
２０４  記憶部
２０６  制御部
【図１】
2020126657.tif 000003
【図２】
2020126657.tif 000004
【図３】
2020126657.tif 000005
【図４】
2020126657.tif 000006
【図５】
2020126657.tif 000007
【図６】
2020126657.tif 000008
【図７】
2020126657.tif 000009
【図８】
2020126657.tif 000010
【図９】
2020126657.tif 000011
【図１０】
2020126657.tif 000012
【図１１】
2020126657.tif 000013
【図１２】
2020126657.tif 000014
【図１３】
2020126657.tif 000015
【図１４】
2020126657.tif 000016